(57)【要約】      （修正有）【課題】筆記具全体が自動的に縦状、垂直状に起立可能となるような重りを内装したものは、重りを内装したキャップなど重量を必要とするため、金属製の鉄や鉛等を用いており、加工費や材料費が高価となっている。【解決手段】筆記具用収納部に収納される筆記具容体３ａと、筆記具容体に設けたチップ３ｃと、チップ用中筒の外側に形成したキャップ外筒２ｂと、貫通孔を穿設したウエイト４とを備え、本体ケース１に立設させた筆記具用収納部１ａに貫通孔を貫通させてウエイトを内装させ、ウエイトを底面との間で挟持させる弾性部材５と筆記具を固定させる固定用内装材６を本体ケースに固定したもので、ウエイトは鋳物製の工業用ナット又はその半製品又はその類似製品としたものである。【選択図】図１
0003105151.tif 000002
【実用新案登録請求の範囲】
【請求項１】
本体ケースの先端側にキャップを嵌合させた外形状が略卵形状をした起き上がりこぼし型筆記具であって、前記本体ケースの下方を半球面状に形成すると共に底面の内部に立設させた筆記具用収納部と、該筆記具用収納部に収納される筆記具のインクを含浸させた中綿を充填させた筆記具容体と、該筆記具容体に首部を設けて突出させたフエルト等のチップと、該チップを嵌入させるキャップの中央に垂設したチップ用中筒と、該チップ用中筒の外側に本体ケースと嵌合する稍縦長の半球面状に形成したキャップ外筒と、中心に貫通孔を穿設したウエイトとを備え、前記本体ケースに立設させた前記筆記具用収納部に前記貫通孔を貫通させて前記ウエイトを内装させると共に、前記ウエイトを弾性により底面との間で挟持させる弾性部材と前記筆記具を固定させる固定用内装材を前記本体ケースに固定したことを特徴とする起き上がりこぼし型筆記具。
【請求項２】
前記ウエイトは鋳物製の工業用ナット又はその半製品又はその類似製品であることを特徴とする請求項１に記載の起き上がりこぼし型筆記具。
【考案の詳細な説明】
【技術分野】
【０００１】
本考案は、マーカー、ボールペン、フエルトペン等、各種の筆記具で外装形状を略卵形状にした起き上がりこぼし型筆記具に関するものであり、更に詳細には、筆記具としてキャップを外してチップに染み込ませたインクで筆記することができ、更には、机の上等の平面上に斜めに又は横に載置するとユラユラ揺れて立つユニークな起き上がりこぼしと成る筆記具を廉価で提供できる起き上がりこぼし型筆記具に関するものである。
【背景技術】
【０００２】
従来、この種の起き上がりこぼし型の筆記具は、各種考案され開示されており、例えば、玩具状に形成した筆記具本体と、この筆記具本体に着脱自在と成るように開口されて凹状部を形成したキャップとを具備し、筆記具本体の下方には芯先を表出しつつ筆記機能を有するボールペン等を配設したとともに、キャップの先端部分には筆記具本体にキャップが装着された状態で、この筆記具全体が自動的に縦状、垂直状に起立可能となるような重りを内装したもの（特許文献１参照）や、筆記軸の上端部に筆記部を出没操作するノック部材を備えたノック式筆記具において、ノック部材を半球状の独楽本体と筆記軸を挿入して保持し且つ独楽本体を回転操作する際の軸部材となる筒状軸とによって形成したもの（特許文献２参照）が開示されている。
【特許文献１】登録実用新案第３０１２９１２号公報
【特許文献２】登録実用新案第３０７００３０号公報
【考案の開示】
【考案が解決しようとする課題】
【０００３】
然し乍ら、昨今の文具は多様化しており、夫々工夫を凝らした文具類が商店等には陳列されており、更に、キャラクターを一部に備えた文具類も多数販売されているが、あまり代わり映えしなく、マンネリ化しており、前述の玩具状に形成した筆記具本体と、この筆記具本体に着脱自在と成るように開口されて凹状部を形成したキャップとを具備し、筆記具本体の下方には芯先を表出しつつ筆記機能を有するボールペン等を配設したとともに、キャップの先端部分には筆記具本体にキャップが装着された状態で、この筆記具全体が自動的に縦状、垂直状に起立可能となるような重りを内装したものでは、起き上がりこぼしになるもののキャラクターを形成するのは玩具状に形成した筆記具本体であり、筆記具本体の先端に突設させた筆記部に、重りを内装したキャップを装着するもので、今や斬新性は無いものであり、更には、重りは重量を必要とするため殆どの場合、金属製の鉄や鉛等を用いており、加工費や材料費が高価となるものである。
【０００４】
更に、筆記軸の上端部に筆記部を出没操作するノック部材を備えたノック式筆記具において、ノック部材を半球状の独楽本体と筆記軸を挿入して保持し且つ独楽本体を回転操作する際の軸部材となる筒状軸とによって形成したものでは、ノック部材が半球状の独楽本体としているもので、キャラクター等の装飾を施したり起き上がりこぼしの機能を付加させることは不可能なものである。
【課題を解決するための手段】
【０００５】
本考案は、前述の課題に鑑み、鋭意研鑽の結果、本体ケースにキャップを嵌合させた略卵形状をした起き上がりこぼし型筆記具であって、本体ケースを半球面状に形成すると共に底面に立設させた筆記具用収納部と、筆記具用収納部に収納される筆記具の筆記具容体と、筆記具容体に首部を設けて突出させたチップと、チップを嵌入させるキャップに垂設したチップ用中筒と、チップ用中筒の外側に本体ケースと嵌合する稍縦長の半球面状に形成したキャップ外筒と、貫通孔を穿設したウエイトとを備え、本体ケースに立設させた筆記具用収納部に貫通孔を貫通させてウエイトを内装させると共に、ウエイトを弾性により底面との間で挟持させる弾性部材と筆記具を固定させる固定用内装材を本体ケースに固定したものであり、更に、ウエイトは鋳物製の工業用ナット又はその半製品又はその類似製品であることを特徴とするものである。
【考案の効果】
【０００６】
本考案の起き上がりこぼし型筆記具は、貫通孔を穿設したウエイトを用いて、該貫通孔に筆記具用収納部を貫通させて本体ケースにウエイトを内装させると共に、該ウエイトを本体ケースの底面との間で弾性により挟持させる弾性部材と、筆記具とを固定させる固定用内装材を本体ケースに固定したことにより、起き上がりこぼしを筆記具として使用できることは勿論のこと、ウエイトの径、巾、厚さ等に多少のバラツキがあっても弾性部材で吸収させて固定できるものであり、又、ウエイトを鋳物製の工業用ナット又はその半製品又はその類似製品とすることによって、ウエイトの大幅なコストダウンを図れるものであり、実用性の高い考案である。
【考案を実施するための最良の形態】
【０００７】
本考案は、マーカー、ボールペン、フエルトペン等、各種の筆記具で外装形状を略卵形状にした起き上がりこぼし型筆記具に関するものであり、更に詳細には、筆記具としてキャップを外してチップに染み込ませたインクで筆記することができ、更には、机の上等の平面上に斜めに又は横に載置するとユラユラ揺れて立つユニークな起き上がりこぼしと成る筆記具を廉価で提供できる起き上がりこぼし型筆記具に関するものであり、請求項１に記載の起き上がりこぼし型筆記具は、本体ケース１の先端側にキャップ２を嵌合させた外形状が略卵形状をした起き上がりこぼし型筆記具であって、前記本体ケース１の下方を半球面状に形成すると共に底面の内部に立設させた筆記具用収納部１ａと、該筆記具用収納部１ａに収納される筆記具３のインクを含浸させた中綿を充填させた筆記具容体３ａと、該筆記具容体３ａに首部３ｂを設けて突出させたフエルト等のチップ３ｃと、該チップ３ｃを嵌入させるキャップ２の中央に垂設したチップ用中筒２ａと、該チップ用中筒２ａの外側に本体ケース１と嵌合する稍縦長の半球面状に形成したキャップ外筒２ｂと、中心に貫通孔４ａを穿設したウエイト４とを備え、前記本体ケース１に立設させた前記筆記具用収納部１ａに前記貫通孔４ａを貫通させて前記ウエイト４を内装させると共に、前記ウエイト４を弾性により底面との間で挟持させる弾性部材５と前記筆記具３を固定させる固定用内装材６を前記本体ケース１に固定したものである。
【０００８】
更に、請求項２に記載の起き上がりこぼし型筆記具は、請求項１に記載の起き上がりこぼし型筆記具において、前記ウエイト４は鋳物製の工業用ナット又はその半製品又はその類似製品であることを特徴とするものである。
【実施例】
【０００９】
以下、本考案の起き上がりこぼし型筆記具の実施例の図面によって具体的に説明すると、図１は本考案の起き上がりこぼし型筆記具の実施例の縦中央断面説明図であり、図２は本考案の起き上がりこぼし型筆記具の実施例の要部横断面説明図である。
【００１０】
即ち、本考案の起き上がりこぼし型筆記具は、外形状が略卵形状をしたものであり、本体ケース１の先端側にキャップ２を嵌合させるもので、夫々合成樹脂等で形成したものである。
【００１１】
そして、本体ケース１は卵形状の縦方向の下方の形状、つまり、半球面状に形成するものであり、外周縁部１ｂの外側には後述するキャップ２を嵌着させる嵌着段部を形成すると共に、外周縁部１ｂの内側には後述する固定用内装材６を固定させるもので、底面の内部には環状リブ状に筆記具用収納部１ａを立設させ後述する筆記具３の筆記具容体３ａを収納するものである。
【００１２】
次いで、筆記具３は汎用のマーカー、ボールペン、フエルトペン等、各種のチップ３ｃを備えたものであり、例えば、インクを含浸させた中綿を充填させた筆記具容体３ａと、該筆記具容体３ａに設けた首部３ｂと、該首部３ｂを貫通し前記中綿から延設されたフエルト等よりなるチップ３ｃから成り、筆記具容体３ａは筆記具用収納部１ａに収納されるものである。
【００１３】
次に、キャップ２は卵形状の縦方向の上方の形状、つまり、稍縦長い半球面状に形成するものであり、中央の下面には筆記具３のチップ３ｃを着脱自在に嵌入させるチップ用中筒２ａを垂設しており、チップ用中筒２ａの外側に本体ケース１の外周縁部１ｂの外側に形成した嵌着段部を嵌着させるキャップ外筒２ｂとを備えているものである。
【００１４】
また、キャップ２について、本考案の実施例では卵形状の縦方向の上方の形状、つまり、稍縦長い半球面状に形成したもので開示しているが、このキャップ２を従来公知である具象形状の成型品を用い、同様に本体ケース１の外周縁部１ｂの外側に形成した嵌着段部を嵌着させるキャップ外筒２ｂとを備えて嵌合させるものでもかまわないものである。
【００１５】
更に、ウエイト４は重量の有る金属製のものが良好で、中心に貫通孔４ａを備え、該貫通孔４ａに本体ケース１に立設させた筆記具用収納部１ａを貫通させているものである。
【００１６】
更には、弾性部材５はウエイト４を弾性により本体ケース１の底面との間で挟持させるもので、図１に図示する実施例ではコイルスプリングを用いているものであるが、弾性を有した発泡ウレタン樹脂等の弾性部材５でも構わないものである。
【００１７】
そして、固定用内装材６は本体ケース１に筆記具３と弾性部材５とを固定させるものであり、固定用内装材６の中心の上方に筆記具３の首部３ｂを貫通させて固定するための円筒状の筆記具固定部６ａと、該筆記具固定部６ａの基端に拡がる傘状の天板部６ｂと、該天板部６ｂの外周縁には本体ケース１の外周縁部１ｂの内側と固定するための円筒状の本体ケース用固定部６ｃを形成すると共に、本体ケース用固定部６ｃの内側には本体ケース１の底面に立設させた筆記具用収納部１ａと固定すると共に、弾性部材５をウエイト４の方に絶えず弾性を付与して移動を停める円筒状の弾性部材用固定部６ｄを垂設しているものである。
【００１８】
更に、ウエイト４は廉価で大量生産が可能である鋳物製の工業用ナット又はその半製品又はその類似製品を用いるものである。
【００１９】
つまり、本考案で用いるウエイト４は、大量に生産され使用されている工業用ナットを用いるもので、工業用ナットには製造段階で避けられないサイズの相違や傷の有る不良品が一定の確率で発生しており、本考案の起き上がりこぼし型筆記具に用いる量は廉価で確保できるものであり、よって、起き上がりこぼし型筆記具のコストダウンを図るものである。
【産業上の利用可能性】
【００２０】
本考案の起き上がりこぼし型筆記具は、斬新なアイディアの卵形状に形成できるとともに、起き上がりこぼしとしてユラユラと揺れて立ち、ユニークなマンネリ化した筆記具の中で人目を引く筆記具であり、ウエイトを廉価なものとして大幅にコストダウンを図ると共に、具象形状のキャラクターを付すことや、販促商品等としても企業や商品のイメージ、広告等を表現させて提供できるものである。
【図面の簡単な説明】
【００２１】
【図１】図１は本考案の起き上がりこぼし型筆記具の実施例の縦断面説明図である。
【図２】図２は本考案の起き上がりこぼし型筆記具の実施例の要部Ａ−Ａ線断面説明図である。
【符号の説明】
【００２２】
１      本体ケース
２      キャップ
３      筆記具
４      ウエイト
５      弾性部材
６      固定用内装材
１ａ    筆記具用収納部
１ｂ    外周縁部
２ａ    チップ用中筒
２ｂ    キャップ外筒
３ａ    筆記具容体
３ｂ    首部
３ｃ    チップ
４ａ    貫通孔
６ａ    筆記具固定部
６ｂ    天板部
６ｃ    本体ケース用固定部
６ｄ    弾性部材固定部
【図１】
0003105151.tif 000003
【図２】
0003105151.tif 000004